(57)【特許請求の範囲】
【請求項１】
透光性材料の基台上に偏光性と反射性とを有する反射型偏光板を配置し、
該反射型偏光板の上に粘着層を介して、偏光性と吸収性とを有する吸収型偏光板を積層し、
前記吸収型偏光板は前記反射型偏光板に対し輪郭形状に余裕があり、前記粘着層を介して前記反射型偏光板の輪郭側面をも覆うことを特徴とする偏光板。
【請求項２】
透光性材料の基台上に偏光性と反射性とを有する反射型偏光板を配置し、
該反射型偏光板の上に粘着層を介して、偏光性と吸収性とを有する吸収型偏光板を積層し、
前記反射型偏光板の輪郭側面に沿ってモールド樹脂を設けたことを特徴とする偏光板。
【請求項３】
請求項２に記載の偏光板において、
前記モールド樹脂の外周にガイドを設けたことを特徴とする偏光板。
【請求項４】
請求項１または請求項２に記載の偏光板において、
該偏光板に開口部を設けたことを特徴とする偏光板。
【発明の詳細な説明】
【０００１】
【発明の属する技術分野】
本発明は、偏光性と反射性とを有する反射型偏光板の構造に関する。
【０００２】
【従来の技術】
液晶表示に利用する偏光板には、偏光性を有する吸収型偏光板と、偏光性と反射性とを有する反射型偏光板とがある。
【０００３】
偏光性を有する吸収型偏光板は、透過容易軸と平行方向の光は透過し、透過容易軸と直交方向の光は吸収する。
これにたいして、偏光性と反射性とを有する反射型偏光板は、透過容易軸と平行方向の光は透過し、透過容易軸と直交方向の光は反射する。本発明はこの偏光性と反射性とを有する反射型偏光板を、対象にしている。
【０００４】
【発明が解決しようとする課題】
この偏光性と反射性とを有する反射型偏光板は、厚さが薄いフィルムを多層構造にしたものである。
【０００５】
このために反射型偏光板は、ハンドリング中にてその輪郭部から剥離する現象や、熱膨張係数の異なるフィルムを積層していることに起因して温度変化によって輪郭部から剥離する現象や、輪郭部からの水分吸着に起因して輪郭部から剥離する現象が発生する。
したがって、従来技術における反射型偏光板は、この偏光性と反射性とを有する偏光板のもつ機能を発揮できないという問題点がある。
【０００６】
〔発明の目的〕
本発明の目的は、上記の課題点を解決して、輪郭部からの剥離が発生しない、偏光性と反射性とを有する反射型偏光板の構造を提供することである。
【０００７】
【課題を解決するための手段】
上記の目的を達成するため、本発明における偏光性と反射性とを有する偏光板の構造は、下記に記載の手段を採用する。
【０００８】
本発明による偏光性と反射性とを有する反射型偏光板は、反射型偏光板の上面と側面部とに粘着層を介して設ける偏光性を有する吸収型偏光板とを有することを特徴とする。
【０００９】
本発明による偏光性と反射性とを有する反射型偏光板は、反射型偏光板の上面に粘着層を介して設ける偏光性を有する吸収型偏光板と、反射型偏光板の輪郭部に設けるモールド樹脂を有することを特徴とする。
【００１０】
本発明による偏光性と反射性とを有する反射型偏光板は、反射型偏光板の上面に粘着層を介して設ける偏光性を有する吸収型偏光板と、反射型偏光板の輪郭部に設けるモールド樹脂と、モールド樹脂の外縁部に設けるガイドとを有することを特徴とする。
【００１１】
本発明による偏光性と反射性とを有する反射型偏光板は、開口部を有することを特徴とする。
【００１２】
〔作用〕
本発明における偏光性と反射性とを有する反射型偏光板は、剥離が発生しやすい側面部に吸収型偏光板を設ける。
この吸収型偏光板は、ＰＶＡフィルムにヨウ素を含浸させたものを延伸加工を行い形成したものであり、さらに吸収型偏光板は、反射型偏光板のように複雑な層を積層したものではなく、側面部からの剥離発生はない。したがって、反射型偏光板の側面部に、吸収型偏光板を設けることによって、反射型偏光板は側面部からの剥離発生はなく、偏光性と反射性とを有する偏光板のもつ機能を充分に発揮することができる。
【００１３】
さらに本発明における偏光性と反射性とを有する反射型偏光板は、剥離が発生しやすい輪郭部に、その輪郭部からの剥離発生を防止するためのモールド樹脂を設ける。モールド樹脂はエポキシ系の樹脂からなり、さらにエポキシ系の樹脂の中に炭酸カルシウムや酸化シリコンのフィラーを混入してもよい。
この本発明の構造においては、剥離しやすい反射型偏光板の輪郭部をモールド樹脂によって補強しているため、輪郭部からの剥離発生はない。したがって、反射型偏光板の輪郭部に、モールド樹脂を設けることによって、反射型偏光板は輪郭部からの剥離発生はなく、偏光性と反射性とを有する偏光板のもつ機能を充分に発揮することができる。
【００１４】
さらに本発明の偏光性と反射性とを有する反射型偏光板は、開口部を設ける構造も採用し、この開口部の内縁である輪郭部にもモールド樹脂を設ける構造を採用する。この構造においても、反射型偏光板の輪郭部をモールド樹脂によって補強しているため、輪郭部からの剥離発生はない。
【００１５】
さらに本発明の偏光性と反射性とを有する反射型偏光板においては、反射型偏光板の輪郭部に設けるモールド樹脂の外周部にガイドを設けてもよい。このガイドは樹脂材料または金属材料から構成する。
この反射型偏光板は、厚さが薄いフィルム状の形状を有しており、ガイドを設けることによって、輪郭部を補強するモールド樹脂をさらに補強して、なおいっそう、反射型偏光板の輪郭部からの剥離が発生しにくくなる。
【００１６】
このように本発明の反射型偏光板は、側面部や輪郭部に吸収型偏光板やモールド樹脂やガイドを設けているため、ハンドリング中にてその輪郭部から剥離する現象や、熱膨張係数の異なるフィルムを積層していることに起因して温度変化によって輪郭部から剥離する現象や、輪郭部からの水分吸着に起因して輪郭部から剥離する現象は発生しない。
したがって、本発明における偏光性と反射性とを有する偏光板は、偏光板のもつ機能を充分に発揮することができる。
【００１７】
【発明の実施の形態】
以下、図面を用いて本発明の反射型偏光板の構造における最適な実施形態を、図図を用いて説明する。はじめに偏光板の構造の第１の実施形態を、図１の断面図を使用して説明する。
【００１８】
〔第１の実施形態：図１〕
図１に示すように、基台１０上に設ける偏光性と反射性とを有する反射型偏光板６の上面と側面部とに、粘着層１２を介して、吸収型偏光板８を設ける。
【００１９】
粘着層１２は、反射型偏光板６と吸収型偏光板８とを貼りつける役割と、反射型偏光板６を基台１０に固着する役割とをもつ。
基台１０としては、液晶表示パネルを構成するガラス基板や、透光性を有する部材とする。
【００２０】
本発明における偏光性と反射性とを有する反射型偏光板６は、剥離が発生しやすい側面部と上面に吸収型偏光板８を設けている。
この吸収型偏光板８は、ＰＶＡフィルムにヨウ素を含浸させたものを延伸加工を行い形成したものである。さらに、吸収型偏光板８は、反射型偏光板６のように複雑な層を積層したものではなく、側面部からの剥離発生はない。
【００２１】
したがって、このように反射型偏光板６の側面部に、吸収型偏光板８を設けることによって、ハンドリング中にてその輪郭部から剥離する現象や、熱膨張係数の異なるフィルムを積層していることに起因して温度変化によって輪郭部から剥離する現象や、輪郭部からの水分吸着に起因して輪郭部から剥離する現象は発生しない。
この結果、反射型偏光板６は側面部からの剥離発生はなく、偏光性と反射性とを有する偏光板のもつ機能を充分に発揮することができる。
【００２２】
さらにこの図１に示す本発明の偏光性と反射性とを有する反射型偏光板６に、開口部を設けてもよい。
この開口部は、反射型偏光板６の表面と裏面との判別する役割や、この反射型偏光板６を組み合わせるほかの部材との位置あわせを行う役割をもつ。さらにこの反射型偏光板６をアナログウォッチに組み込む場合は、時針・分針・秒針などの指針を駆動するための駆動軸を覗かせるための役割をもたせる。
【００２３】
〔第２の実施形態：図２〕
つぎに本発明の反射型偏光板の第２の実施形態を、反射型偏光板６の一部を示す図２の断面図を使用して説明する。
図２に示すように、基台１０上に設ける偏光性と反射性とを有する反射型偏光板６の輪郭部にモールド樹脂１４を設ける。反射型偏光板６の上面には、粘着層１２を介して、吸収型偏光板８を設ける。
【００２４】
粘着層１２は、反射型偏光板６と吸収型偏光板８とを相互に貼りつける役割をもつ。
基台１０としては、液晶表示パネルを構成するガラス基板や、透光性を有する部材とする。
【００２５】
反射型偏光板６の輪郭部に形成するモールド樹脂１４は、エポキシ系の樹脂から構成する。なお、このエポキシ系の樹脂の中に炭酸カルシウムや酸化シリコンのフィラーを混入したモールド樹脂１４を用いてもよい。
【００２６】
このように本発明における偏光性と反射性とを有する反射型偏光板６には、剥離が発生しやすい輪郭部に、その輪郭部からの剥離発生を防止するためのモールド樹脂１４を設け、輪郭部を補強している。
この本発明の構造においては、剥離しやすい反射型偏光板６の輪郭部をモールド樹脂１４によって補強しているため、ハンドリング中にてその輪郭部から剥離する現象や、熱膨張係数の異なるフィルムを積層していることに起因して温度変化によって輪郭部から剥離する現象や、輪郭部からの水分吸着に起因して輪郭部から剥離する現象は発生しない。
この結果、反射型偏光板６は側面部からの剥離発生はなく、偏光性と反射性とを有する偏光板のもつ機能を充分に発揮することができる。
【００２７】
さらにこの図２に示す本発明の偏光性と反射性とを有する反射型偏光板６に、開口部を設け、その開口部の内縁の輪郭部にモールド樹脂１４を設けてもよい。この開口部は、反射型偏光板６の表面と裏面との判別する役割や、この反射型偏光板６を組み合わせるほかの部材との位置あわせを行う役割をもつ。さらにこの反射型偏光板６をアナログウォッチに組み込む場合は、時針・分針・秒針などの指針を駆動するための駆動軸を覗かせるための役割をもたせる。
【００２８】
この結果、反射型偏光板６の輪郭部にモールド樹脂を設ける本発明の第２の実施形態では、反射型偏光板６は輪郭部からの剥離発生はなく、偏光性と反射性とを有する偏光板のもつ機能を充分に発揮することができる。
【００２９】
〔第３の実施形態：図３〕
つぎに本発明の反射型偏光板の第３の実施形態を、反射型偏光板６の一部を示す図３の断面図を使用して説明する。
図３に示すように、基台１０上に設ける偏光性と反射性とを有する反射型偏光板６の輪郭部にモールド樹脂１４を設け、さらにこのモールド樹脂１４の外周部にガイド１６を設ける。
またさらに反射型偏光板６の上面には、粘着層１２を介して、吸収型偏光板８を設ける。
【００３０】
粘着層１２は、反射型偏光板６と吸収型偏光板８とを相互に貼りつける役割をもつ。
基台１０としては、液晶表示パネルを構成するガラス基板や、透光性を有する部材とする。
【００３１】
反射型偏光板６の輪郭部に形成するモールド樹脂１４は、エポキシ系の樹脂から構成する。なお、このエポキシ系の樹脂の中に炭酸カルシウムや酸化シリコンのフィラーを混入したモールド樹脂１４を用いてもよい。
このガイド１６は樹脂材料または金属材料から構成する。
【００３２】
このように本発明における偏光性と反射性とを有する反射型偏光板６には、剥離が発生しやすい輪郭部に、その輪郭部からの剥離発生を防止するためのモールド樹脂１４を設け、輪郭部を補強している。
そのうえ、この図３に示す第３の実施形態の反射型偏光板６は、厚さが薄いフィルム状の輪郭部にガイド１６を設けることによって、輪郭部を補強するモールド樹脂をさらに補強して、なおいっそう、反射型偏光板の輪郭部からの剥離が発生しにくくなる。
【００３３】
この本発明の構造においては、剥離しやすい反射型偏光板６の輪郭部をモールド樹脂１４とガイド１６によって補強しているため、ハンドリング中にてその輪郭部から剥離する現象や、熱膨張係数の異なるフィルムを積層していることに起因して温度変化によって輪郭部から剥離する現象や、輪郭部からの水分吸着に起因して輪郭部から剥離する現象は発生しない。
この結果、反射型偏光板６は側面部からの剥離発生はなく、偏光性と反射性とを有する偏光板のもつ機能を充分に発揮することができる。
【００３４】
さらにこの図３に示す本発明の偏光性と反射性とを有する反射型偏光板６に、開口部を設け、その開口部の内縁の輪郭部にモールド樹脂１４を設けてもよい。この開口部は、反射型偏光板６の表面と裏面との判別する役割や、この反射型偏光板６を組み合わせるほかの部材との位置あわせを行う役割をもつ。さらにこの反射型偏光板６をアナログウォッチに組み込む場合は、時針・分針・秒針などの指針を駆動するための駆動軸を覗かせるための役割をもたせる。
【００３５】
さらにこの図３に示す本発明の偏光性と反射性とを有する反射型偏光板６に、開口部を設け、その開口部の内縁の輪郭部にモールド樹脂１４を設け、このモールド樹脂１４の内周部にガイド１６を設けてもよい。
【００３６】
【発明の効果】
以上の説明から明らかなように、本発明における偏光性と反射性とを有する反射型偏光板は、剥離が発生しやすい側面部に吸収型偏光板を設ける。
この吸収型偏光板は、ＰＶＡフィルムにヨウ素を含浸させたものを延伸加工を行い形成したものであり、さらに吸収型偏光板は、反射型偏光板のように複雑な層を積層したものではなく、側面部からの剥離発生はない。したがって、反射型偏光板の側面部に、吸収型偏光板を設けることによって、反射型偏光板は側面部からの剥離発生はなく、偏光性と反射性とを有する偏光板のもつ機能を充分に発揮することができる。
【００３７】
さらに本発明における偏光性と反射性とを有する反射型偏光板は、剥離が発生しやすい輪郭部に、その輪郭部からの剥離発生を防止するためのモールド樹脂を設ける。モールド樹脂はエポキシ系の樹脂からなり、さらにエポキシ系の樹脂の中に炭酸カルシウムや酸化シリコンのフィラーを混入してもよい。
この本発明の構造においては、剥離しやすい反射型偏光板の輪郭部をモールド樹脂によって補強しているため、輪郭部からの剥離発生はない。したがって、反射型偏光板の輪郭部に、モールド樹脂を設けることによって、反射型偏光板は輪郭部からの剥離発生はなく、偏光性と反射性とを有する偏光板のもつ機能を充分に発揮することができる。
【００３８】
さらに本発明の偏光性と反射性とを有する反射型偏光板は、開口部を設ける構造も採用し、この開口部の内縁である輪郭部にもモールド樹脂を設ける構造を採用する。この構造においても、反射型偏光板の輪郭部をモールド樹脂によって補強しているため、輪郭部からの剥離発生はない。
【００３９】
さらに本発明の偏光性と反射性とを有する反射型偏光板においては、反射型偏光板の輪郭部に設けるモールド樹脂の外周部にガイドを設けてもよい。このガイドは樹脂材料または金属材料から構成する。
この反射型偏光板は、厚さが薄いフィルム状の形状を有しており、ガイドを設けることによって、輪郭部を補強するモールド樹脂をさらに補強して、なおいっそう、反射型偏光板の輪郭部からの剥離が発生しにくくなる。
【００４０】
このように本発明の反射型偏光板は、側面部や輪郭部に吸収型偏光板やモールド樹脂やガイドを設けているため、ハンドリング中にてその輪郭部から剥離する現象や、熱膨張係数の異なるフィルムを積層していることに起因して温度変化によって輪郭部から剥離する現象や、輪郭部からの水分吸着に起因して輪郭部から剥離する現象は発生しない。
【００４１】
したがって、本発明における偏光性と反射性とを有する偏光板は、偏光板のもつ機能を充分に発揮することができる。
【図面の簡単な説明】
【図１】本発明の第１の実施の形態における反射型偏光板の構造を示す断面面である。
【図２】本発明の第２の実施の形態における反射型偏光板の構造を示す断面面である。
【図３】本発明の第３の実施の形態における反射型偏光板の構造を示す断面面である。
【符号の説明】
６  反射型偏光板
８  吸収型偏光板
１２  粘着層
１４  モールド樹脂
１６  ガイド
【図１】
0003892944.tif 000002
【図２】
0003892944.tif 000003
【図３】
0003892944.tif 000004